(57)【要約】【課題】  排便直後の用足し姿勢のままで手が洗えるようにして手についた汚れが下着等に付くのを防止する。【解決手段】  水溜めタンクより便器に至る導水管の途中から、便器における用足し姿勢のままで手が届く位置に手洗い部を存在させた手洗い水導水管を分岐させ、手洗い部に複数の小孔を形成するとともに、小孔の下方に、小孔から漏れ出た水を受け止めて導水管に戻す水受け盆を設けたことを特徴とするトイレの手洗い器。【選択図】  図１
0003115631.tif 000002
【実用新案登録請求の範囲】
【請求項１】
水溜めタンクより便器に至る導水管の途中から、便器における用足し姿勢のままで手が届く位置に手洗い部を存在させた手洗い水導水管を分岐させ、手洗い部に複数の小孔を形成するとともに、小孔の下方に、小孔から漏れ出た水を受け止めて導水管に戻す水受け盆を設けたことを特徴とするトイレの手洗い器。
【請求項２】
手洗部が手洗い水導水管の縦延部に設けられる請求項１のトイレの手洗い器。
【請求項３】
導水管又は手洗い水導水管に、同じく用足し姿勢のままでで手が届く範囲にタオルを掛けることができるタオル掛けを設けた請求項１又は２のトイレの手洗い器。
【請求項４】
便器がしゃがみ式又は座り式のものである請求項１〜３いずれかのトイレの手洗い器。
【考案の詳細な説明】
【技術分野】
【０００１】
本考案は、トイレの手洗い器に関し、用足し姿勢のままで手が洗浄できる手洗い器に関するものである。
【０００２】
水洗トイレが、しゃがみ式（和式）であろうと、座り式（洋式）であろうと、用足しが済むと、紙で始末をするが、このとき、手が排泄物で汚れることがある。特に、手の動きが不自由な病人や高齢者、或いは十分に発達していない幼児等では、このような事態が起こり易い。また、手が汚れていることに自分では気が付かないこともある。このような場合でも、立ち上がって下着や衣服を引き上げ、しかる後に水溜めタンク等に付設されている手洗い器で手を洗うことになるが、手が汚れていると、洗う前に下着や衣服まで汚してしまう。
【０００３】
このため、下記特許文献１では、用足し姿勢のままで、手を洗うことができる手洗い器を設けたものが提案されている。しかし、この先行例のものは、手洗い器が水を溜める手水鉢であって、流水で洗うものではないから、衛生的ではないこと、水を流すときには、手水鉢の底の栓を抜かなければならず、その手間が煩わしい、といった欠点がある。
【特許文献１】特開平７−１８９３１６号公報
【考案の開示】
【考案が解決しようとする課題】
【０００４】
本考案は、同じ用足し姿勢のままで手を洗うことができる手洗い器に関するものであるが、近くにある手洗い水導水管（パイプ）を握るだけで手が洗えるようにして、より利便性を高めたものである。
【課題を解決するための手段】
【０００５】
以上の課題の下、本考案は、請求項１に記載した、水溜めタンクより便器に至る導水管の途中から、便器における用足し姿勢のままで手が届く位置に手洗い部を存在させた手洗い水導水管を分岐させ、手洗い部に複数の小孔を形成するとともに、小孔の下方に、小孔から漏れ出た水を受け止めて導水管に戻す水受け盆を設けたことを特徴とするトイレの手洗い器を提供するとともに、これにおいて、請求項２に記載した、手洗部が手洗い水導水管の縦延部に設けられる手段、請求項３に記載した、導水管又は手洗い水導水管に、同じく用足し姿勢のままでで手が届く範囲にタオルを掛けることができるタオル掛けを設けた手段を提供したものである。
【考案の効果】
【０００６】
本考案によれば、水溜めタンクに溜まった水を導水管を通して便器に供給するときには、手洗い水導水管にも水が流れるから、用足し姿勢のままで手が届く位置にある手洗い部に形成された小孔から水が漏出する。したがって、この小孔の部分を手で握ったり、かざしておけば、流水によって手洗いができる。そして、手を洗った水は、下の水受け盆で受け止められて導水管に合流するから、周辺に散乱することもない。加えて、このような操作は、下着や衣服に触る前の用足し姿勢のままでできるから、下着や衣服を汚すことはない。また、請求項２の手段によれば、手洗いがより楽になるし、請求項３の手段によれは、用足し姿勢のままで手拭きもできる。
【考案を実施するための最良の形態】
【０００７】
以下、本考案の実施の最良の形態を図面を参照して説明する。図１は本考案に係る手洗い器を構成する手洗い水導水管の斜視図、図２はこれを組み込んだトイレの平面図、図３は側面図であるが、トイレ（この場合は水洗トイレに限定される）は、便器１と水溜めタンク２とからなる。便器１（本例では、しゃがみ式（和式）を示しているが、座り式（洋式）であっても同様である）は、これに用を足すものであって、床面３から掘設されている。水溜めタンク２は、便器１を洗い流すための、少なくとも、一回分の水を溜めるものであって、便器１からやや離れた高い位置で、壁４等に添設されている。
【０００８】
水溜めタンク２には、水源から給水管５で水が導かれるようになっており、中に溜まった水が所定の水位になると、フロートスイッチ（図示省略）で水の供給が止むようになっている。一方、水溜めタンク２の底からは、中の水を便器１に供給する導水管６が便器１に至っている。なお、導水管６は、一般的には、便器１の前方に接続しており、ここから便器１内を通って或いは別の配管で後部の噴出口（図示省略）に通じている。水溜めタンク２の外面の適所には、中に溜まった水を導水管６に供給する水出しレバー７が設けられており、これを回すと、導水管６に至る出口に設けられた開閉弁（図示省略）を開く。
【０００９】
開閉弁が開くと、水溜めタンク２の水は導水管６を通って噴出口に至り、後部の噴出口から便器１を洗う一回分の水が噴出し、便器１に堆積している排泄物を洗い流すようになっている。この場合、水溜めタンク２の上方は、その蓋８が凹陥しており、ここに吐出口を下に向けた吐水管９が上方に向けて設けられている。そこで、水出しレバー７が回されると、吐水管９からも水が出るようになっており、この水で手を洗うことができるようになっている（吐出された水は、蓋８に設けられた孔１０から水溜めタンク２に戻されるようになっている）。
【００１０】
本考案は、以上のトイレに手洗い器１１を付設したものである。この手洗い器１１は、導水管６から分岐する手洗い水導水管１２と、その下方に設けられる水受け盆１３とからなる。このうち、手洗い水導水管１２は、導水管６の途中から分岐して再度導水管６に合流するものであり、少なくともその一部は便器１での用足し姿勢のままで手が届く位置に導かれており、ここを手洗い部１２Ａとする。手洗い水導水管１２は、通常、水平部１２ａと縦延部１２ｂとでＬ字形に形成されているから、縦延部１２ｂを手洗い部１２Ａとすればよい。なお、この場合の手とは、紙で始末をした方の手、具体的には、利き腕（右手）のことであり、姿勢を変えることなく、容易に手が届くことができる距離、高さに設けられている。加えて、手洗い部１２Ａには、手洗い水導水管１２を流れる水が出る多数の小孔１４が形成されている。
【００１１】
手洗い部１２Ａの下部で、導水管６と合流する位置には、小孔１４から出た水を受け止める水受け盆１３が設けられている。小孔１４から出た水は、この水受け盆１３に溜まるが、この溜まった水は、その底の位置の縦延部１２ｂに形成された流入口１５から流入して導水管６に戻されるようになっている。さらに、同じく手が届く位置にタオル１６を掛けることができるタオル掛け１７も設けられている。ところで、このような手洗い器１１は、後付けで施工されることが多いから、導水管６に手洗い水導水管１２や水受け盆１３を組み込んだものを一つのセットとしておき（図１の状態のもの）、これごと取り替えるのが便利である。
【００１２】
次に、この手洗い器１１による手洗いについて説明する。便器１にしゃがんだ状態で用足しが終われば、紙で始末をするが、その姿勢のままで、水出しレバー７を回して水を出す。この操作も、用足し姿勢のままでする必要があるから、水出しレバー７がそれができる位置にあればよいが、そうでない場合には、水出しレバー７に紐１８等を付けておくか、水出しレバー７の位置を手が届く位置に変更しておく。水出しレバー７を回すと、水溜めタンク２の水は導水管６を通って便器１の後部の噴出口から噴出されて排泄物を流すが、このとき、同時に手洗い水導水管１２にも水が流れ、小孔１４から漏出する。
【００１３】
図４は手洗いの状態を示す要部斜視図であるが、このように、小孔１４が形成された手洗い部１２Ａを手で握り、回転や上下させることで流水によって手を洗浄でき、手に付いた汚れは落ちる（もちろん、離した状態で洗ってもよい）。なお、洗った水は、下の水受け盆１３に溜まるが、この水は、流入口１５から縦延部１２ｂに流入して導水管６に戻される。この点で、水受け盆１３は、十分な大きさのものにして洗浄時の水が飛散しないようにしておくのが適する。
【００１４】
以上のような洗浄によると、仮に、紙で始末するときに手に汚れが付着したとしても、それを洗い流すことができるから、下着や衣服を正すときにそれに汚れが付着することはない。なお、手洗い水導水管１２を設けて導水管６の水を分岐させることは、噴出口から噴出される水の勢いを弱めることにもなり、しゃがんだままで便器１に水を流すときに排泄物や水が跳ね掛かかるのを防止する。手洗いが済むと、タオル１６で拭き、立ち上がって下着や衣服を正せば、用足しは終了する。
【図面の簡単な説明】
【００１５】
【図１】手洗い器をセットにした状態の斜視図である。
【図２】手洗い器を組み込んだトイレの平面図である。
【図３】手洗い器を組み込んだトイレの側面図である。
【図４】手洗い器による手洗い状態を示す斜視図である。
【符号の説明】
【００１６】
１    便器
２    水溜めタンク
３    床面
４    壁
５    給水管
６    導水管
７    水出しレバー
８    蓋
９    吐水管
１０  孔
１１  手洗い器
１２  手洗い水導水管
１２Ａ手洗い部
１２ａ手洗い水導水管の水平部
１２ｂ      〃      の縦延部
１３  水受け盆
１４  小孔
１５  流入口
１６  タオル
１７  タオル掛け
１８  紐
【図１】
0003115631.tif 000003
【図２】
0003115631.tif 000004
【図３】
0003115631.tif 000005
【図４】
0003115631.tif 000006